【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び搬送制御手段を有し、複数の画像情報出力装置に接続された画像記録装置において、
前記搬送制御手段が、前記画像情報出力装置からの記録要求を受けて、前記記録紙供給手段を作動させて記録紙を供給し、前記画像形成手段により記録紙に画像を形成し、前記排出手段により記録紙を排出する画像形成工程を実行し、要求された前記記録要求に対応した画像記録が終了したときに、前記仕分けシート供給手段を作動させて仕分けシートを供給し、前記画像情報出力装置のいずれかを特定する表示を、前記画像形成手段により仕分けシートに付した後、前記排出手段を作動させて仕分けシートを排出するように制御を行うことを特徴とする画像記録装置。
【請求項２】
前記排出手段が排出された記録紙と仕分けシートを受ける排出皿を有し、前記記録要求に対応した画像記録がなされた記録紙毎に、仕分けシートにより仕分けられて前記排出皿に堆積されることを特徴とする請求項１に記載の画像記録装置。
【請求項３】
記録する画像の情報を出力する複数の画像情報出力装置及び
該複数の画像情報出力装置に接続された画像記録装置を有し、前記画像記録装置が、画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び搬送制御手段を有する画像記録システムにおいて、
前記搬送制御手段が、前記画像情報出力装置からの記録要求を受けて、前記記録紙供給手段を作動させて記録紙を供給し、前記画像形成手段により記録紙に画像を形成する画像記録工程を実行し、要求された前記記録要求に対応した画像記録が終了したときに、前記仕分けシート供給手段を作動させて仕分けシートを供給し、前記画像情報出力装置のいずれかを特定する表示を、前記画像形成手段により仕分けシートに付した後、前記排出手段を作動させて仕分けシートを排出するように制御を行うことを特徴とする画像記録システム。
【請求項４】
前記画像情報出力装置が記録要求をした画像記録の単位毎に、画像が記録された記録紙を仕分ける仕分けシートを搬送して画像記録を行う画像記録モードを指定する信号を出力することを特徴とする請求項３に記載の画像記録システム。
【請求項５】
前記排出手段が、前記画像情報出力装置が記録要求をした画像記録の単位毎に、画像を記録した記録紙の排出位置を変えることを特徴とする請求項３又は請求項４に記載の画像記録システム。
【請求項６】
前記排出手段が、前記画像情報出力装置が記録要求をした画像記録の単位毎に、画像を記録した記録紙の排出位置を変えることを特徴とする請求項３又は請求項４に記載の画像記録システム。
【請求項７】
記録する画像の情報を出力する複数の画像情報出力装置及び該複数の画像情報出力装置に接続された画像記録装置を有し、
前記画像情報出力装置が画像情報とともに、画像記録を開始する記録開始命令を入力する場所を指定する命令場所情報の入力手段を有するとともに、
前記命令場所情報により前記画像記録装置が前記記録開始命令を入力する場所と指定されたときは、前記画像記録装置が操作されたときにのみ、前記画像記録装置が画像記録を開始することを特徴とする画像記録システム。
【請求項８】
画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び搬送制御手段を有し、複数の画像情報出力装置に接続された画像記録装置において、
前記搬送制御手段が、前記画像情報出力装置からの記録要求を受けて、前記記録紙供給手段を作動させて記録紙を供給し、前記画像形成手段により記録紙に画像を形成し、前記排出手段により記録紙を排出する画像形成工程を実行し、要求された前記記録要求に対応した画像記録が終了したときに、前記仕分けシート供給手段を作動させて仕分けシートを供給し、前記画像情報出力装置に入力された使用者情報を表示する表示を、前記画像形成手段により仕分けシートに付した後、前記排出手段を作動させて仕分けシートを排出するように制御を行うことを特徴とする画像記録装置。
【請求項９】
記録する画像の情報を出力する複数の画像情報出力装置
該複数の画像情報出力装置に接続された画像記録装置を有し、前記画像記録装置が、画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び及び搬送制御手段を有する画像記録システムにおいて、
前記搬送制御手段が、前記画像情報出力装置からの記録要求を受けて、前記記録紙供給手段を作動させて記録紙を供給し、前記画像形成手段により記録紙に画像を形成する画像記録工程を実行し、要求された前記記録要求に対応した画像記録が終了したときに、前記仕分けシート供給手段を作動させて仕分けシートを供給し、前記画像情報出力装置に入力された使用者情報を表示する表示を、前記画像形成手段により仕分けシートに付した後、前記排出手段を作動させて仕分けシートを排出するように制御を行うことを特徴とする画像記録システム。
【手続補正２】
【補正対象書類名】明細書
【補正対象項目名】００１２
【補正方法】変更
【補正の内容】
【００１２】
【課題を解決するための手段】
前記の本発明の目的は、
（１）画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び搬送制御手段を有し、複数の画像情報出力装置に接続された画像記録装置において、
前記搬送制御手段が、前記画像情報出力装置からの記録要求を受けて、前記記録紙供給手段を作動させて記録紙を供給し、前記画像形成手段により記録紙に画像を形成し、前記排出手段により記録紙を排出する画像形成工程を実行し、要求された前記記録要求に対応した画像記録が終了したときに、前記仕分けシート供給手段を作動させて仕分けシートを供給し、前記画像情報出力装置のいずれかを特定する表示を、前記画像形成手段により仕分けシートに付した後、前記排出手段を作動させて仕分けシートを排出するように制御を行うことを特徴とする画像記録装置、
（２）記録する画像の情報を出力する複数の画像情報出力装置及び
該複数の画像情報出力装置に接続された画像記録装置を有し、前記画像記録装置が、画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び搬送制御手段を有する画像記録システムにおいて、
前記搬送制御手段が、前記画像情報出力装置からの記録要求を受けて、前記記録紙供給手段を作動させて記録紙を供給し、前記画像形成手段により記録紙に画像を形成する画像記録工程を実行し、要求された前記記録要求に対応した画像記録が終了したときに、前記仕分けシート供給手段を作動させて仕分けシートを供給し、前記画像情報出力装置のいずれかを特定する表示を、前記画像形成手段により仕分けシートに付した後、前記排出手段を作動させて仕分けシートを排出するように制御を行うことを特徴とする画像記録システム、
（３）記録する画像の情報を出力する複数の画像情報出力装置及び該複数の画像情報出力装置に接続された画像記録装置を有し、
前記画像情報出力装置が画像情報とともに、画像記録を開始する記録開始命令を入力する場所を指定する命令場所情報の入力手段を有するとともに、
前記命令場所情報により前記画像記録装置が前記記録開始命令を入力する場所と指定されたときは、前記画像記録装置が操作されたときにのみ、前記画像記録装置が画像記録を開始することを特徴とする画像記録システム、
（４）画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び搬送制御手段を有し、複数の画像情報出力装置に接続された画像記録装置において、
前記搬送制御手段が、前記画像情報出力装置からの記録要求を受けて、前記記録紙供給手段を作動させて記録紙を供給し、前記画像形成手段により記録紙に画像を形成し、前記排出手段により記録紙を排出する画像形成工程を実行し、要求された前記記録要求に対応した画像記録が終了したときに、前記仕分けシート供給手段を作動させて仕分けシートを供給し、前記画像情報出力装置に入力された使用者情報を表示する表示を、前記画像形成手段により仕分けシートに付した後、前記排出手段を作動させて仕分けシートを排出するように制御を行うことを特徴とする画像記録装置、並びに、
（５）記録する画像の情報を出力する複数の画像情報出力装置
該複数の画像情報出力装置に接続された画像記録装置を有し、前記画像記録装置が、画像形成手段、
前記画像形成手段に記録紙を供給する記録紙供給手段、
前記画像形成手段に仕分けシートを供給する仕分けシート供給手段、
前記画像形成手段を通過した記録紙及び仕分けシートを排出する排出手段及び及び搬送制御手段を有する画像記録システムにおいて、
前記搬送制御手段が、前記画像情報出力装置からの記録要求を受けて、前記記録紙供給手段を作動させて記録紙を供給し、前記画像形成手段により記録紙に画像を形成する画像記録工程を実行し、要求された前記記録要求に対応した画像記録が終了したときに、前記仕分けシート供給手段を作動させて仕分けシートを供給し、前記画像情報出力装置に入力された使用者情報を表示する表示を、前記画像形成手段により仕分けシートに付した後、前記排出手段を作動させて仕分けシートを排出するように制御を行うことを特徴とする画像記録システム、
によって達成される。